(57)【特許請求の範囲】
【請求項１】
搬送される被検査物（Ｗ）の品質状態を表す検出信号を出力する検査部（３）と、前記検出信号に基づいた判定対象値により前記被検査物の品質の良否を判定して得られる良否判定結果を表示する表示操作部（４）を備えた物品検査装置（１）において、  
前記表示操作部は、前記良否判定結果を含んで予め設定された複数の表示形態の画面を切換えるための選択操作を行う表示形態選択操作部（４ｓ）を有し、前記表示形態選択操作部の操作を受けて、前記表示操作部に前記複数の表示形態の画面を縮小した縮小画像を切換え可能な表示形態の情報として並べて表示させ、前記縮小画像のうちいずれかの選択操作を受けて前記縮小画像を消去する表示制御部（９）と、選択操作された前記縮小画像に対応する表示形態の画面を生成して前記表示操作部に表示させる制御部（８）と、を備えたことを特徴とする物品検査装置。
【請求項２】
前記表示制御部は、前記表示形態選択操作部に前記縮小画像の数を示す表示を行うことを特徴とする請求項１に記載の物品検査装置。
【請求項３】
前記表示制御部は、前記表示操作部の全画面領域のうち、前記表示形態の特徴的部分を示す領域を含んで構成される縮小画像対象領域（４Ｐ）を縮小し、前記縮小画像として表示させることを特徴とする請求項１または請求項２に記載の物品検査装置。
【請求項４】
前記表示操作部は、前記良否判定結果を表示する第１の表示領域（４Ｂ）と、前記第１の表示領域と分離された第２の表示領域（４Ｃ）とを含んで構成され、前記表示制御部は、前記第１の表示領域を遮ぎらないように前記縮小画像を前記第２の表示領域に表示させることを特徴とする請求項１ないし請求項３のいずれか１項に記載の物品検査装置。
【請求項５】
前記縮小画像は、前記表示形態選択操作部からの吹き出し領域（２０）に表示され、
前記表示制御部は、前記表示形態選択操作部が操作されてから所定の操作が行われるまで、または所定時間が経過するまで前記縮小画像を前記吹き出し領域に並べて表示させることを特徴とする請求項１ないし請求項４のいずれか１項に記載の物品検査装置。
【発明の詳細な説明】
【技術分野】
【０００１】
本発明は、例えば、生肉、魚、加工食品、医薬などの被検査物を搬送しながら被検査物の品質を検査する物品検査装置に関する。
【背景技術】
【０００２】
従来、被検査物の品質を検査する物品検査装置として、重量測定装置、Ｘ線異物検出装置、金属検出装置などの検査装置が知られている。このような従来の重量測定装置は、搬送される被検査物の質量を測定し、得られた測定値が基準範囲内にあるか否かを判定し、基準範囲内の良品とそれ以外の不良品とを選別している。また、従来のＸ線異物検出装置は、搬送される被検査物にＸ線を照射し、この照射したＸ線の透過量から被検査物中に異物が混入しているか否かを検出している。また、従来の金属検出装置は、搬送ラインに交番磁界を発生させておき、交番磁界中に被検査物を通過させ、磁界を通過しているときの検波出力から金属が混入しているか否かを検出している。
【０００３】
このような物品検査装置では、作業者が設定入力部を操作することで異なる複数の表示形態（表示モード）を選択し、その表示形態で検査画像や検査結果を表示するものが知られている（例えば、特許文献１参照）。
【先行技術文献】
【特許文献】
【０００４】
【特許文献１】特開２００４−２８６８６号公報
【発明の開示】
【発明が解決しようとする課題】
【０００５】
しかしながら、従来の物品検査装置は、設定入力部で複数の表示形態の中から所望の表示モードに切換える際に、その表示モードの切換え候補を一目で把握することができない。このため、作業者が所望する表示形態を容易に選択することができない。
【０００６】
特に、食品や医薬品等の生産ラインに組み込まれて生産される製品の品質を検査する物品検査装置の分野では、検査項目や検査内容が多様化し、検査結果を表す情報も複雑化していることから、担当者や管理者等の作業者が製品の検査状況を適切に把握するのに必要な情報量が飛躍的に増加してきている。
【０００７】
一方で、物品検査装置の画面表示領域には限りがあるため、複数種類の表示形態を予め設定しておき、状況に応じて適切な表示形態を瞬時に選択できなければならないが、従来の技術では、表示の切換えの操作自体が直感的でなかったり、操作手順が複雑で操作時間がかかったりして実現できていなかった。
【０００８】
そこで、本発明は、前述のような従来の問題を解決するためになされたもので、表示形態の切換え候補を視覚的に容易に把握でき、作業者の所望する表示形態を容易かつ瞬時に選択できる物品検査装置を提供することを目的としている。
【０００９】
本発明に係る物品検査装置は、搬送される被検査物の品質状態を表す検出信号を出力する検査部と、前記検出信号に基づいた判定対象値により前記被検査物の品質の良否を判定して得られる良否判定結果を表示する表示操作部を備えた物品検査装置において、前記表示操作部は、前記良否判定結果を含んで予め設定された複数の表示形態の画面を切換えるための選択操作を行う表示形態選択操作部を有し、前記表示形態選択操作部の操作を受けて、前記表示操作部に前記複数の表示形態の画面を縮小した縮小画像を切換え可能な表示形態の情報として並べて表示させ、前記縮小画像のうちいずれかの選択操作を受けて前記縮小画像を消去する表示制御部と、選択操作された前記縮小画像に対応する表示形態の画面を生成して前記表示操作部に表示させる制御部と、を備えたことを特徴とする。
【００１０】
この構成により、表示形態選択操作部が操作されたことを受けて、表示操作部に複数の表示形態の画面を縮小した縮小画像を並べて表示するので、表示形態の切換え候補を視覚的に把握でき、適切な表示形態を容易かつ瞬時に選択できる。
【００１１】
また、本発明に係る物品検査装置において、前記表示制御部は、前記表示形態選択操作部に前記縮小画像の数を示す表示を行うことを特徴とする。
【００１２】
この構成により、表示形態選択操作部に、縮小画像の数を示す表示がなされるので、作業者は、縮小画像が表示されていない場合でも表示操作部に切換表示可能な表示形態の数を容易かつ瞬時に把握できる。
【００１３】
また、本発明に係る物品検査装置において、前記表示制御部は、前記表示操作部の全画面領域のうち、前記表示形態の特徴的部分を示す領域を含んで構成される縮小画像対象領域を縮小し、前記縮小画像として表示させることを特徴とする。
【００１４】
この構成により、複数の表示形態の画面に共通な領域を除いた領域を縮小画像対象領域としたり、複数の表示形態の画面で機能や視覚が異なるなどの特徴的部分を示す領域だけを縮小画像対象領域とすることができる。縮小すべき画像の領域を小さくするで、縮小画像の縮小率を小さくしたり、同じ縮小率ではより多くの表示形態の縮小画像を表示することができる。
【００１５】
また、本発明に係る物品検査装置において、前記表示操作部は、前記良否判定結果を表示する第１の表示領域と、第１の表示領域と分離された第２の表示領域とを含み、前記表示制御部は、前記第１の表示領域を遮ぎらないように前記縮小画像を前記第２の表示領域に表示させることを特徴とする。
【００１６】
この構成により、縮小画像によって良否判定結果の表示が遮られることを防止でき、表示形態の選択操作中であっても検査中の良否判定結果を視認することができる。
【００１７】
また、本発明に係る物品検査装置において、前記縮小画像は、前記表示形態選択操作部からの吹き出し領域（２０）に表示され、前記表示制御部は、前記表示形態選択操作部が操作されてから所定の操作が行われるまで、または所定時間が経過するまで前記縮小画像を前記吹き出し領域に並べて表示させることを特徴とする。
【００１８】
この構成により、表示形態選択操作部が操作されてから、所定の操作が行われるまで、または所定時間が経過するまで縮小画像を表示形態選択操作部からの吹き出し領域に並べて表示するので、作業者は、現在、表示される表示形態が適切であると判断した場合に、縮小画像を消去することができる。このため、誤って縮小画像が操作されて、現在表示される表示形態が変更されてしまうことを防止できる。
【発明の効果】
【００１９】
本発明によれば、表示形態の切換え候補を視覚的に容易に把握でき、作業者の所望する表示形態を容易かつ瞬時に選択できる物品検査装置を提供することができる。
【図面の簡単な説明】
【００２０】
【図１】本発明の一実施の形態に係る物品物品検査装置の構成の概略を示す構成図である。
【図２】本発明の一実施の形態に係る物品物品検査装置の表示操作部の構成図である。
【図３】本発明の一実施の形態に係る物品物品検査装置の縮小画像の表示例を示す図である。
【図４】本発明の一実施の形態に係る物品物品検査装置の制御部が実行する表示制御プログラムのフローチャートである。
【図５】本発明の一実施の形態に係る物品検査装置の被検査物の検査画面を示す画像の表示例である。
【図６】本発明の一実施の形態に係る物品検査装置の被検査物の検査画面に縮小画像が重なった画像の表示例である。
【図７】本発明の一実施の形態に係る物品検査装置の現在の検査画面から統計データ画面に切換えられた表示例である。
【図８】本発明の一実施の形態に係る物品検査装置の現在の検査画面から波形表示画面に切換えられた表示例である。
【発明を実施するための形態】
【００２１】
以下、本発明の実施の形態について、図面を参照して説明する。
【００２２】
本発明に係る物品検査装置１は、例えば生肉、魚、加工食品、医薬品などの被検査物Ｗが搬送される製造ライン（不図示）に組み込まれ、被検査物Ｗ中に混入した異物の検査、または、被検査物Ｗの重量が規定範囲内であるか否かの検査を行うものである。
【００２３】
図１において、物品検査装置１は、搬送部２と、検査部３と、表示操作部４と、判定部５と、総合制御部６を備えている。
【００２４】
搬送部２は、予め表示操作部４で設定される品種の被検査物Wを順次搬送するもので、例えば、装置本体に対して水平に配置されたベルトコンベアにより構成される。
【００２５】
また、搬送部２は、図示しない駆動モータにより駆動され、予め設定された所定の搬送速度で、搬入された被検査物Wを図１の矢印方向(右方向)に搬送するようになっている。 
【００２６】
検査部３は、被検査物Ｗに含まれる異物の種類やサイズに応じた検出信号、または被検査物Ｗの重量に応じた検出信号を出力するようになっている。  物品検査装置１が金属検出装置として構成される場合の検査部３は、所定周波数の交番磁界を発生し、交番磁界中を通過する被検査物Ｗによる磁界の変化に対応した信号を出力するような構成となっている。なお、被検査物Ｗに含まれる金属を磁石等の磁化器で着磁し、磁化された金属の残留磁気を磁気センサで検出するような構成としてもよい。
【００２７】
また、物品検査装置１がＸ線異物検出装置として構成される場合の検査部３は、Ｘ線発生源とＸ線検出器から構成され、Ｘ線発生源からＸ線が照射されたときの被検査物Ｗを透過したＸ線をＸ線検出器が検出し、その透過量に応じた検出信号を出力するような構成となっている。Ｘ線検出器は、例えば搬送部２によって搬送される被検査物Ｗの搬送方向と直交する方向にライン状に配列された複数のフォトダイオードと、フォトダイオード上に設けられたシンチレータとを備えたアレイ状のラインセンサが用いられ、被検査物Ｗを透過したＸ線をのシンチレータで受けて光に変換し、その光をその下部に配置されるフォトダイオードによって電気信号に変換して出力するようになっている。
【００２８】
また、物品検査装置１が重量測定装置として構成される場合の検査部３は、搬送部２の一部を秤量台にし、その秤量台の下方に配置された、電磁平衡機構などのはかり機構で構成された荷重センサによって、秤量台に載った被検査物Ｗの荷重を計量するような構成となっている。なお、荷重センサは、重量を測定できるはかり機構であればよく、例えば、差動トランス機構や歪ゲージ機構などのはかり機構で構成してもよい。
【００２９】
表示操作部４は、入力操作機能および表示機能を兼用するタッチパネルから構成されており、入力操作としては、搬送部２によって搬送させる被検査物Ｗの品種の設定操作や、被検査物Ｗの異物検出、計量に関する各種設定操作や指示操作を行うようになっている。
【００３０】
また、表示操作部４は、表示動作としては、被検査物Ｗの品種の設定操作が行われるときの設定値、指示操作が行われるときの指示値、各種判定結果等、種々の表示を行うようになっている。
【００３１】
なお、表示操作部４は、入力操作機能と表示機能とが独立した構成としてもよく、この場合、入力操作機能のために、設定や指示のために入力操作する複数のキーやスイッチ等を設けるとともに、表示機能のために、液晶表示器等を設けた構成とすることができる。
【００３２】
表示操作部４をより具体的に説明すると、図２において、表示操作部４は、動作状態表示部４Ａ、検査情報表示部４Ｂ、メイン表示部４Ｃおよび操作部４Ｄを備えている。本実施の形態の検査情報表示部４Ｂは本発明の第１の領域を構成し、本実施の形態のメイン表示部４Ｃは本発明の第２の領域を構成する。
【００３３】
動作状態表示部４Ａは、物品検査装置１が被検査物Ｗを検査する運転中状態であるか否かを表示し、検査情報表示部４Ｂは、例えば、被検査物Ｗの品種（例えば、肉、魚、加工食品、医薬品などの検査の種類）に応じて設定された番号を表示する。また、検査情報表示部４Ｂは、被検査物Ｗの良否判定結果を「ＯＫ」や「ＮＧ」等の文字または記号で表示する。
【００３４】
メイン表示部４Ｃは、他の表示形態と比較して、表示内容の機能や表示内容が視覚的に異なるなどの特徴的部分がある画像が表示される領域であり、表示形態毎にそれぞれ異なった内容を表示する。物品検査装置１が運転中の場合には、被検査物Ｗの検査毎の測定値や統計データ、波形等の表示が所定の操作によって切換えて表示される。
【００３５】
操作部４Ｄは、例えば、運転ボタン、停止ボタン、メニューボタンおよび表示モード切換ボタン４ｓを備えており、運転ボタンは、物品検査装置１の運転の開始を指示するときに操作され、停止ボタンは、物品検査装置１の運転の停止を指示するときに操作される。また、メニューボタンは、物品検査装置１の動作状態における通常の表示形態と異なる特殊な表示に遷移させる場合に操作され、特殊な表示のためのメニューが表示される。
【００３６】
表示モード切換ボタン４ｓは、表示操作部４に表示される表示形態（表示モード）を選択して切り替える場合に、切り替え可能な表示形態の情報を表示させて表示形態を選択するときに操作される。本実施の形態の表示モード切換ボタン４ｓは、本発明の表示形態選択操作部を構成する。なお、表示モード切換ボタン４ｓの詳細については、後述する。
【００３７】
表示操作部４において、本実施の形態のメイン表示部４Ｃは、表示操作部４の全体の領域に対して２／３程度の表示領域を占めており、そのすぐ上方の領域に、検査情報表示部４Ｂが設けられている。また、動作状態表示部４Ａは、検査情報表示部４Ｂの上方に設けられており、操作部４Ｄは、メイン表示部４Ｃの下方に設けられている。
【００３８】
判定部５は、検査部３からの検出信号に基づいて、被検査物Ｗの中に異物が含まれているか否か、または被検査物Ｗの重量が所定範囲内であるか否か等の良否判定を行うとともに、検査結果（良否判定結果）を表示操作部４に表示させるようになっている。 
【００３９】
総合制御部６は、物品検査装置１の全体の制御を行うものであり、記憶部７、制御部８、表示制御部９および表示画面記憶部１０を備えている。
【００４０】
記憶部７は、制御部８が物品検査装置１を制御するための各種プログラム、判定部５が被検査物Ｗについて良否判定を行うための各種パラメータ等を記憶するようになっている。
また、記憶部７は、判定部５の良否判定結果（検査結果のＯＫまたはＮＧ）、判定に用いた検査部の検出信号に基づく検査データ（重量測定値、検出信号の被検査物内での最大値、検出信号を信号処理した被検査物内での最大値等）、検出信号に基づく波形データ等を検査結果データとして記憶し、検査時刻、アラーム発生時刻等の動作来歴も記憶するようになっている。
【００４１】
制御部８は、記憶部７に記憶されたプログラムを実行して、判定部５のパラメータの変更、物品検査装置１の各種制御等を行うようになっている。
【００４２】
表示制御部９は、表示操作部４の操作に従って、表示操作部４に表示する表示データを作成し、表示操作部４に表示するように制御する。例えば、通常の検査画面を表示操作部４に表示する場合には、判定部５の検査結果に基づき、現在行われている被検査物Ｗの良否判定結果が検査情報表示部４Ｂに表示されるように表示操作部４を制御する。
【００４３】
また、表示制御部９は、表示モード切換ボタン４ｓの操作があったときに、複数の表示形態の画面を基に縮小画像を生成し、図３の（ａ）に示すように、表示モード切換ボタン４ｓからの吹き出し領域２０に複数の表示形態の画面を縮小した縮小画像を並べて表示するように表示操作部４を制御する。本実施の形態では、図２の画面構成のうちの検査情報表示部４Ｂおよびメイン表示部４Ｃが、縮小画像として表示される縮小画像対象領域４Ｐとなっている。
【００４４】
この表示形態の画面を縮小した縮小画像は、例えば、図３の（ａ）に示すように、被検査物Ｗの検査を行う場合に通常用いられる検査画面３１（図５参照）、被検査物Ｗの検査結果の統計データを表す統計データ画面３２（図７参照）、あるいは、検査部３が出力する検出信号に基づく波形が表示される波形表示画面３３（図８参照）の縮小画像である。図３の（ａ）に示すように、表示制御部９は、検査画面３１、統計データ画面３２および波形表示画面３３の縮小画像について、一時的に吹き出しが表示されるバルーン表示をする。
【００４５】
また、表示画面記憶部１０は、縮小画像表示される複数の表示形態である検査画面３１、統計データ画面３２および波形表示画面３３の画像データを記憶する。なお、記憶する画面の画像は、縮小画像であってもよいし、縮小前の画面サイズの画像であってもよい。
【００４６】
表示制御部９は、作業者によって表示モード切換ボタン４ｓが操作されたときに、表示画面記憶部１０から検査画面３１、統計データ画面３２および波形表示画面３３のうちで、表示操作部４に現在表示されていない画面の画像データを読み出し、表示操作部４に縮小画像を並べて表示する。
【００４７】
検査画面３１は、例えば、物品検査装置１が重量測定装置として構成される場合には、検出信号から得られる質量値を測定値として表示する。また、物品検査装置１が金属検出装置として構成される場合には、検出信号から得られるワーク影響値を測定値として表示する。また、物品検査装置１がＸ線異物検出装置として構成される場合には、検出信号により得られるＸ線濃淡画像に異物の検出を位置を重ねあ合わせてた検査結果画像表示する。
【００４８】
統計データ画面３２に表示される統計データとしては、例えば、縦軸に被検査物Ｗの数、横軸に検出信号から得られる測定値を示したヒストグラムである。この測定値は、物品検査装置１が重量測定装置として構成される場合には質量であり、物品検査装置１が金属検出装置として構成される場合には、ワーク影響値であり、物品検査装置１がＸ線異物検出装置として構成される場合には、異物の大きさやＸ線画像の濃淡値ある。なお、統計データは、これらに限定されるものでなく、被検査物Ｗの検査結果に関する統計データであれば、どのような統計データでもよく、検査結果の統計や、測定値の統計を数値で表した画面であってもよい。
【００４９】
波形表示画面３３に表示される波形は、例えば、物品検査装置１が重量測定装置として構成される場合には、検出信号から得られる質量の波形である。また、物品検査装置１が金属検出装置として構成される場合には、検出信号から得られるワーク影響値およびワーク位相により生成されるリサージュ波形である。また、物品検査装置１がＸ線異物検出装置として構成される場合には、検出信号により得られるＸ線濃淡画像に対し、搬送方向と直交する方向の濃淡レベルの各ピーク値を搬送方向に沿って描画した２次元断面波形である。
【００５０】
本実施の形態の縮小画像は、検査画面３１、統計データ画面３２または波形表示画面３３における検査情報表示部４Ｂおよびメイン表示部４Ｃから構成される縮小画像対象領域４Ｐの縮小画像である。なお、縮小画像対象領域４Ｐは、表示操作部４の全体の画像を含んだものであってもよく、図３の（ｂ）に示すようにメイン表示部４Ｃのみを含んだ画像であってもよい。
【００５１】
また、表示制御部９は、表示モード切換ボタン４ｓが操作されてから、所定の操作として表示モード切換ボタン４ｓが操作されるまでの間、または、所定時間経過するまでの間に、表示モード切換ボタン４ｓからの吹き出し領域２０に検査画面３１、統計データ画面３２および波形表示画面３３のいずれかの縮小画像を並べて表示する。
【００５２】
表示制御部９は、表示モード切換ボタン４ｓからの吹き出し領域２０に検査画面３１、統計データ画面３２および波形表示画面３３のいずれかの縮小画像が並べて表示されている間に、作業者によって吹き出し領域２０の検査画面３１、統計データ画面３２および波形表示画面３３のいずれかの縮小画像が押下された場合に、押下された画面を拡大して全面に表示する。
【００５３】
また、表示制御部９は、表示モード切換ボタン４ｓ上に縮小画像の数を示す表示を行う。本実施の形態においては、３つの縮小画像を用いた例を示しており、３つの縮小画像のうちの対応する画面１つが表示されている場合には、２つの縮小画像が吹き出し領域２０に並べて表示されることになる。
【００５４】
このため、表示モード切換ボタン４ｓ上に表示される縮小画像の候補の数は、「３」である。図３の（ａ）に示す表示モード切換ボタン４ｓでは、候補の縮小画像に対応する番号が１から順に表示され、その最大値が縮小画像の候補の数として表示される。また、現在、表示されている画面に対応する縮小画像に対応する番号が白抜きされた画像が表示される。
【００５５】
なお、本実施の形態の縮小画像は、検査画面３１、統計データ画面３２および波形表示画面３３を例にしているが、縮小画像の種類は、これに限定されるものではなく、縮小画像の数もこれに限定されるものではない。図３の（ｂ）に示す表示モード切換ボタン４ｓのように、縮小画像の候補の数「３」だけを表示するようにしてもよく、また、現在、表示されている画面を含まない表示候補の数（吹き出し領域２０に表示される縮小画像の数）を表示モード切換ボタン４ｓに表示するようにしてもよい。
【００５６】
また、表示制御部９は、表示モード切換ボタン４ｓからの吹き出し領域２０に縮小画像を並べて表示する際には、縮小画像が良否判定結果を表示する検査情報表示部４Ｂの表示領域を遮らないように縮小画像を表示させることが好ましい。すなわち、縮小画像をメイン表示部４Ｃに表示させるように制御して、検査情報表示部４Ｂに表示される良否判定結果が常時視認できるようにする。
【００５７】
このようにすることで、縮小画像によって検査情報表示部４Ｂの良否判定結果が隠れた場合に起こる縮小画面上の良否判定結果の視認性の悪さ（例えば、縮小により小さく表示する。または、縮小画像対象領域４Ｐがメイン表示部４Ｃのみの場合は結果が表示されない。）を回避することができる。
【００５８】
次に、図４のフローチャートおよび図５〜図８の画像表示例に基づいて作用を説明する。なお、図４のフローチャートは、制御部８によって実行される表示制御プログラムであり、被検査物Ｗの検査中に実行される。ここでは、物品検査装置１が重量測定装置として構成される場合を例にして説明する。
【００５９】
被検査物Ｗの検査中においては、図５に示すように、表示制御部９は、被検査物Ｗの検査結果の良否判定結果（ここではＯＫ）を検査情報表示部４Ｂに表示し、メイン表示部４Ｃには、検査部２から得られる質量値を測定値として表示する。
【００６０】
図４においては、制御部８は、表示モード切換ボタン４ｓが操作されたか否かを判別し（ステップＳ１）、表示モード切換ボタン４ｓか操作されていないと判断した場合には、今回の処理を終了する。
【００６１】
ステップＳ１において、制御部８は、表示モード切換ボタン４ｓが操作されたと判断した場合には、統計データ画面３２および波形表示画面３３に関する画像情報を表示画面記憶部１０から読み出し、表示制御部９に出力する。
【００６２】
このとき、図６に示すように、表示制御部９は、表示モード切換ボタン４ｓからの吹き出し領域２０に、統計データ画面３２および波形表示画面３３の縮小画像を並べて表示させる（ステップＳ２）。
【００６３】
次いで、制御部８は、統計データ画面３２および波形表示画面３３の縮小画像の一方が選択されて操作されたか否か判別する（ステップＳ３）。ステップＳ３において、統計データ画面３２および波形表示画面３３の縮小画像のいずれも選択されない場合には、制御部８は、所定時間が経過後または表示モード切換ボタン４ｓが操作されたタイミングで表示制御部９に消去の指示を行う。このとき、表示制御部９は、吹き出し領域２０および吹き出し領域２０内の縮小画像を消去する（ステップＳ６）。
【００６４】
ステップＳ３において、制御部８は、統計データ画面３２および波形表示画面３３の縮小画像のいずれか一方が選択されて操作された場合には、選択された統計データ画面３２または波形表示画面３３の縮小画像に対応する最新情報の画面を生成して（ステップＳ４）、表示操作部４の画面全体を選択された画面に切換える（ステップＳ５）。
【００６５】
ここで、生成された実際の画面は、吹き出し領域２０内に表示する次回からの縮小画像として用いるために表示画面記憶部１０に記憶され、表示制御部９は、選択された統計データ画面３２または波形表示画面３３の縮小画像に対応して生成された画面を表示操作部４に表示させる。
【００６６】
なお、本実施の形態において、実際の画面を表示画面記憶部１０に記憶させて、表示画面記憶部１０から縮小画像を表示するように説明したが、統計データ画面３２または波形表示画面３３の各画面の表示形態を表す模擬画面であってもよい。
【００６７】
この場合に表示制御部９は、選択に応じて模擬画面に統計データを合成して統計データ画面３２を形成してもよく、模擬画面に最新の波形データを合成して波形表示画面３３を形成してもよい。
【００６８】
図７は、現在の検査画面３１から統計データ画面３２に切換えられた状態を示している。図７に示すように、メイン表示部４Ｃには縦軸に被検査物Ｗの数、横軸に検出信号から得られる質量の測定値を示したヒストグラムが表示される。
【００６９】
図８は、現在の検査画面３１から波形表示画面３３に切換えられた状態を示している。図８に示すように、メイン表示部４Ｃには検出信号から得られる質量の波形が表示される。
【００７０】
また、統計データ画面３２および波形表示画面３３のいずれか一方の画面が切換え表示される場合には、表示モード切換ボタン４ｓが操作されると、表示モード切換ボタン４ｓからの吹き出し領域２０に統計データ画面３２および波形表示画面３３の他方の縮小画像と検査画面３１の縮小画像が並べて表示される。図７では、表示モード切換ボタン４ｓに、縮小画像候補の数および表示される統計データ画面３２に対応する番号が白抜きされた画像が表示され、図８では、表示モード切換ボタン４ｓに、縮小画像候補の数および表示される波形表示画面３３に対応する番号が白抜きされた画像が表示される。
【００７１】
このように本実施の形態の物品検査装置１によれば、表示制御部９が、表示モード切換ボタン４ｓの操作を受けて、複数の表示形態の画面である検査画面３１、統計データ画面３２または波形表示画面３３を縮小した縮小画像を並べて表示する。これにより、表示形態の切換え候補を視覚的に把握でき、適切な表示形態を容易かつ瞬時に選択できる。
【００７２】
また、本実施の形態の物品検査装置１によれば、表示制御部９は、表示モード切換ボタン４ｓに検査画面３１、統計データ画面３２または波形表示画面３３の縮小画像の数を示す表示を行う。
【００７３】
この構成により、表示モード切換ボタン４ｓに検査画面３１、統計データ画面３２または波形表示画面３３の縮小画像の数を示す表示がなされるので、作業者は、縮小画像が表示されていない場合でも表示操作部４に切換表示可能な表示形態の数を容易に把握できる。
【００７４】
また、本実施の形態の物品検査装置１によれば、表示操作部４は、表示操作部４の全画面領域のうち、表示形態の特徴的部分を表す所定の大きさの領域を縮小画像対象領域４Ｐとして含み、表示制御部９は、縮小画像対象領域４Ｐの画像を、縮小画像として表示させる。
【００７５】
この構成により、検査情報表示部４Ｂおよびメイン表示部４Ｃを縮小画像対象領域４Ｐとしたり、メイン表示部４Ｃのみを縮小画像対象領域４Ｐとすることができる。縮小すべき画像の領域を小さくすることで、縮小画像の縮小率を小さくしたり、同じ縮小率ではより多くの表示形態の縮小画像を吹き出し領域２０に表示することができる。
【００７６】
また、本発明に係る物品検査装置１によれば、表示操作部４は、良否判定結果を表示する検査情報表示部４Ｂと、検査情報表示部４Ｂと分離されたメイン表示部４Ｃとを含み、表示制御部４は、検査情報表示部４Ｂを遮ぎらないように吹き出し領域２０および縮小画像をメイン表示部４Ｃに表示させる。
【００７７】
この構成により、縮小画像によって良否判定結果の表示が遮られることを防止でき、表示形態の選択操作中であっても検査中の良否判定結果を視認することができる。
【００７８】
また、本実施の形態の物品検査装置１によれば、表示制御部９は、表示モード切換ボタン４ｓが操作されてから、所定の操作が行われるまで、または所定時間が経過するまで検査画面３１、統計データ画面３２または波形表示画面３３を並べて表示させる。
【００７９】
この構成により、作業者は、表示される表示形態が適切であると判断した場合に、検査画面３１、統計データ画面３２または波形表示画面３３の縮小画像を消去することができる。このため、誤って検査画面３１、統計データ画面３２または波形表示画面３３の縮小画像が操作されて、現在表示される表示形態が変更されてしまうことを防止できる。
【産業上の利用可能性】
【００８０】
以上のように、本発明に係る物品検査装置は、表示形態の切換え候補を視覚的に容易に把握でき、作業者の所望する表示形態を容易かつ瞬時に選択できる物品検査装置を提供することができるという効果を有し、被検査物を搬送しながら被検査物をの品質の検査を行う物品検査装置として有用である。
【符号の説明】
【００８１】
１  物品検査装置
３  検査部
４  表示操作部
９  表示制御部
４Ｂ  検査情報表示部（第１の表示領域）
４Ｃ  メイン表示部（第２の表示領域）
４Ｐ  縮小画像対象領域
４ｓ  表示モード切換ボタン（表示形態選択操作部）
Ｗ  被検査部物
【図１】
0006581789.tif 000002
【図２】
0006581789.tif 000003
【図３】
0006581789.tif 000004
【図４】
0006581789.tif 000005
【図５】
0006581789.tif 000006
【図６】
0006581789.tif 000007
【図７】
0006581789.tif 000008
【図８】
0006581789.tif 000009